(57)【特許請求の範囲】
【請求項１】
熱風を生成する熱風式加熱機が搭載されるとともに前記熱風を通過させる本体スクリード加熱用ダクトが固定状態で内設された本体スクリードと、該本体スクリードに連結された前記熱風を通過させるエキステンションスクリード加熱用ダクトが内設されたエキステンションスクリードとを備え、前記本体スクリード加熱用ダクト及び前記エキステンションスクリード加熱用ダクトの各端部近傍のうち何れか一方の端部近傍を何れか他方の端部近傍に差し込むことにより前記本体スクリード加熱用ダクトと前記エキステンションスクリード加熱用ダクトとを連結するとともに前記エキステンションスクリードに設けられた弾性材製のインシュレーションを前記エキステンションスクリードの前記本体スクリード加熱用ダクトとの連結部とは反対側の端部に押し付けることにより該エキステンションスクリード加熱用ダクトの抜け止めとして機能させたことを特徴とするアスファルトフィニッシャにおけるスクリード加熱ダクト装置。
【請求項２】
前記本体スクリード加熱用ダクトの端部近傍を前記エキステンションスクリード加熱用ダクトの一端部近傍に差し込むことにより前記本体スクリード加熱用ダクトと前記エキステンションスクリード加熱用ダクトとを連結するとともに
前記エキステンションスクリード加熱用ダクトの一端部は前記本体スクリード側における前記本体スクリード加熱用ダクトの支持具に当接され、前記エキステンションスクリードの他端部には型枠スライダが取り付けられ、前記弾性材製のインシュレーションを前記型枠スライダに内蔵するとともに該弾性材製のインシュレーションを前記エキステンションスクリード加熱用ダクトの他端部に押し付けることにより該エキステンションスクリード加熱用ダクトの他端部を閉塞することを特徴とする請求項１記載のアスファルトフィニッシャにおけるスクリード加熱ダクト装置。
【請求項３】
エキステンションスクリードプレートの裏面側には、前記エキステンションスクリード加熱用ダクトを支持する支持部材を突設したことを特徴とする請求項１又は２記載のアスファルトフィニッシャにおけるスクリード加熱ダクト装置。
【発明の詳細な説明】
【技術分野】
【０００１】
本発明は、アスファルトフィニッシャにおけるスクリード加熱ダクト装置に関するものであり、特に、本体スクリードに搭載された熱風式加熱機で生成された熱風で本体スクリード及びエキステンションスクリードを加熱するとともに本体スクリード加熱用ダクトとエキステンションスクリード加熱用ダクトとの連結部における熱風漏れ及び圧損を抑えてエキステンションスクリードの加熱効率を向上させることが可能なアスファルトフィニッシャにおけるスクリード加熱ダクト装置に関するものである。
【背景技術】
【０００２】
従来、例えば、次のような舗装機械（アスファルトフィニッシャ）における熱風式スクリード加熱装置が知られている。この従来技術は、中央のメインスクリード部の左右にエキステンションスクリード部が連結され、メインスクリード部下面のメインスクリードプレート上に中空状のメイン熱風通路が形成され、左右のエキステンションスクリード部下面のエキステンションスクリードプレート上に中空状のエキステンション熱風通路がそれぞれ形成されている。
【０００３】
また、メインスクリードプレート上及びエキステンションスクリードプレート上の中空状部内に近接してそれぞれ熱風ダクトが左右方向に配設され、該熱風ダクトの下面に小さな放熱口が複数設けられている。これらの熱風ダクトは、それぞれ所定温度の熱風を所望量通過させてメイン熱風通路及びエキステンション熱風通路を介してメインスクリードプレート及びエキステンションスクリードプレートを加熱すべく機能する。
【０００４】
そして、メインスクリード部に搭載された第１の熱風式加熱機で生成された熱風でメインスクリード部及びエキステンションスクリード部の一部を加熱し、エキステンションスクリード部に設けた第２の熱風式加熱機で生成された熱風でエキステンションスクリード部の他部（先端側部分）を加熱して、エキステンションスクリード部の長さ方向全域を効率よく加熱できるようにしている（例えば、特許文献１参照）。
【０００５】
また、本体スクリード（メインスクリード部）に搭載された熱風式加熱機で生成された熱風で本体スクリードプレート及びエキステンションスクリードプレートを加熱するようにした第１の従来技術としては、例えば図４に示すようなものがある。同図において、熱風を生成する図示しない熱風式加熱機が搭載された本体スクリード１にエキステンションスクリード２が連結されている。図では本体スクリード１の右側のみにエキステンションスクリード２が連結されているが、本体スクリード１の左側にも図示しないエキステンションスクリードが連結されている。
【０００６】
本体スクリード１の下方側には、前記熱風式加熱機で生成された熱風を通過させる本体スクリード加熱用ダクト３が支持具４で支持固定されて内設されている。一方、エキステンションスクリード２の下方側にもエキステンションスクリード加熱用ダクト５が支持具６で支持固定されて内設されている。そして、本体スクリード加熱用ダクト３とエキステンションスクリード加熱用ダクト５とが連結部材としての導風用インシュレーション７で連結されている。
【０００７】
前記本体スクリード加熱用ダクト３における本体スクリードプレート８との対向面には複数の放熱口３ａ，…が開穿され、本体スクリード加熱用ダクト３は、該複数の放熱口３ａ，…から熱風を噴出して本体スクリードプレート８を加熱する。また、前記エキステンションスクリード加熱用ダクト５にもエキステンションスクリードプレート９との対向面に複数の放熱口５ａ，…が開穿され、エキステンションスクリード加熱用ダクト５は、該複数の放熱口５ａ，…から熱風を噴出してエキステンションスクリードプレート９を加熱する。
【０００８】
さらに、本体スクリードに搭載された熱風式加熱機で生成された熱風で本体スクリードプレート及びエキステンションスクリードプレートを加熱するようにした第２の従来技術としては、例えば図５に示すようなものがある。同図において、この従来技術では、対向する本体スクリード加熱用ダクト３の端面とエキステンションスクリード加熱用ダクト５の端面とが、面合わせ部１０で面合わせされることにより、本体スクリード加熱用ダクト３とエキステンションスクリード加熱用ダクト５とが連結されている。図５において、該連結部以外の構成は、前記図４におけるものとほぼ同様である。
【先行技術文献】
【特許文献】
【０００９】
【特許文献１】特開２０１０−９０５９９号公報
【発明の概要】
【発明が解決しようとする課題】
【００１０】
特許文献１に記載の従来技術においては、メインスクリード部に搭載された第１の熱風式加熱機で生成された熱風でメインスクリード部及びエキステンションスクリード部の一部を加熱し、エキステンションスクリード部に設けた第２の熱風式加熱機で生成された熱風でエキステンションスクリード部の他部（先端側部分）を加熱して、エキステンションスクリード部の長さ方向全域を効率よく加熱できるようにしている。
【００１１】
また、図４に示した第１の従来技術においては、本体スクリード加熱用ダクトとエキステンションスクリード加熱用ダクトとが連結部材としての肉厚の導風用インシュレーション連結されているため、この導風用インシュレーションの部分で熱風通路が狭くなり、エキステンションスクリード側に送られる熱風量が少なくなってエキステンションスクリードの加熱効率を高めることが難しくなる。
【００１２】
さらに、図５に示した第２の従来技術においては、本体スクリード加熱用ダクトは本体スクリードの下方側に支持具で支持固定され、エキステンションスクリード加熱用ダクトはエキステンションスクリードの下方側に支持具で支持固定されている。そして、対向する本体スクリード加熱用ダクトの端面とエキステンションスクリード加熱用ダクトの端面とが、面合わせ部で面合わせされることにより、本体スクリード加熱用ダクトとエキステンションスクリード加熱用ダクトとが連結されている。このため、アスファルトフィニッシャの稼動に伴って本体スクリードプレート又はエキステンションスクリードプレートに磨耗が生じた際に、前記面合わせ部に高さ方向のずれが生じて熱風漏れや圧損が発生して、前記と同様にエキステンションスクリード側に送られる熱風量が少なくなってエキステンションスクリードの加熱効率が低下してしまう。
【００１３】
そこで、本体スクリードに搭載された熱風式加熱機で生成された熱風で本体スクリード及びエキステンションスクリードを加熱するとともに本体スクリード加熱用ダクトとエキステンションスクリード加熱用ダクトとの連結部における熱風漏れ及び圧損を抑えてエキステンションスクリードの加熱効率を向上させるために解決すべき技術的課題が生じてくるのであり、本発明はこの課題を解決することを目的とする。
【課題を解決するための手段】
【００１４】
本発明は上記目的を達成するために提案されたものであり、請求項１記載の発明は、熱風を生成する熱風式加熱機が搭載されるとともに前記熱風を通過させる本体スクリード加熱用ダクトが固定状態で内設された本体スクリードと、該本体スクリードに連結された前記熱風を通過させるエキステンションスクリード加熱用ダクトが内設されたエキステンションスクリードとを備え、前記本体スクリード加熱用ダクト及び前記エキステンションスクリード加熱用ダクトの各端部近傍のうち何れか一方の端部近傍を何れか他方の端部近傍に差し込むことにより前記本体スクリード加熱用ダクトと前記エキステンションスクリード加熱用ダクトとを連結するとともに前記エキステンションスクリードに設けられた弾性材製のインシュレーションを前記エキステンションスクリードの前記本体スクリード加熱用ダクトとの連結部とは反対側の端部に押し付けることにより該エキステンションスクリード加熱用ダクトの抜け止めとして機能させたアスファルトフィニッシャにおけるスクリード加熱ダクト装置を提供する。
【００１５】
この構成によれば、エキステンションスクリード加熱用ダクトは、その一方の端部を本体スクリード加熱用ダクトに連結するとともにこの本体スクリード加熱用ダクトとの連結部とは反対側の端部をエキステンションスクリードに設けられた弾性材製のインシュレーションにより押し付ける構成としているので、前記連結部を通じて本体スクリード加熱用ダクトの上下動等の動きに追動する。したがってアスファルトフィニッシャの稼働に伴って本体スクリードプレート又はエキステンションスクリードプレートに摩耗等が生じて本体スクリード加熱用ダクトとエキステンションスクリード加熱用ダクトとの連結部に高さ方向にずれ傾向が生じても、このずれ傾向がエキステンションスクリード加熱用ダクトの追動性に吸収されて該連結部にずれが発生することがない。この結果、該連結部における熱風漏れや圧損の発生が抑えられる。
【００１６】
請求項２記載の発明は、前記本体スクリード加熱用ダクトの端部近傍を前記エキステンションスクリード加熱用ダクトの一端部近傍に差し込むことにより前記本体スクリード加熱用ダクトと前記エキステンションスクリード加熱用ダクトとを連結するとともに前記エキステンションスクリード加熱用ダクトの一端部は前記本体スクリード側における前記本体スクリード加熱用ダクトの支持具に当接され、前記エキステンションスクリードの他端部には型枠スライダが取り付けられ、前記弾性材製のインシュレーションを前記型枠スライダに内蔵するとともに該弾性材製のインシュレーションを前記エキステンションスクリード加熱用ダクトの他端部に押し付けることにより該エキステンションスクリード加熱用ダクトの他端部を閉塞する請求項１記載のアスファルトフィニッシャにおけるスクリード加熱ダクト装置を提供する。
【００１７】
この構成によれば、本体スクリード加熱用ダクトとエキステンションスクリード加熱用ダクトとの連結は、具体的には、本体スクリード加熱用ダクトの端部近傍をエキステンションスクリード加熱用ダクトの一端部近傍に差し込むことにより行われる。そして、該エキステンションスクリード加熱用ダクトの一端部は本体スクリード側における本体スクリード加熱用ダクトの支持具に当接し、他端部には型枠スライダに内蔵された弾性材製のインシュレーションが押し付けられて該他端部が閉塞されるとともに抜け止めが行われてエキステンションスクリード内における該エキステンションスクリード加熱用ダクトの長手方向の位置決めが行われる。これにより、エキステンションスクリード内における該エキステンションスクリード加熱用ダクトの長手方向の位置調整が不要となる。
【００１８】
請求項３記載の発明は、エキステンションスクリードプレートの裏面側には、前記エキステンションスクリード加熱用ダクトを支持する支持部材を突設した請求項１又は２記載のアスファルトフィニッシャにおけるスクリード加熱ダクト装置を提供する。
【００１９】
この構成によれば、エキステンションスクリードプレートの裏面側に支持部材が突設されることで、エキステンションスクリード加熱用ダクトは片持ち支持になることなく、該エキステンションスクリード加熱用ダクトはエキステンションスクリード内において上下方向にも位置決めされてエキステンションスクリードプレートに対する安定した加熱体として機能する。
【発明の効果】
【００２０】
請求項１記載の発明は、本体スクリードプレート又はエキステンションスクリードプレートに磨耗等が生じて本体スクリード加熱用ダクトとエキステンションスクリード加熱用ダクトとの連結部に高さ方向にずれ傾向が生じても、このずれ傾向がエキステンションスクリード加熱用ダクトの追動性に吸収されて該連結部にはずれが発生しない。これにより該連結部における熱風漏れや圧損の発生が抑えられてエキステンションスクリードの加熱効率を向上させることができるという利点がある。
【００２１】
請求項２記載の発明は、請求項１記載の発明の効果に加えてさらに、エキステンションスクリード加熱用ダクトは、その一端部が本体スクリード側における本体スクリード加熱用ダクトの支持具に当接し、他端部は型枠スライダに内蔵された弾性材製のインシュレーションが押し付けられて該他端部が閉塞されるとともに抜け止めが行われる。したがって、エキステンションスクリードに非固定状態で内設されているエキステンションスクリード加熱用ダクトの長手方向の位置調整が不要となって該エキステンションスクリード加熱用ダクトに対する容易組立性が得られるという利点がある。
【００２２】
請求項３記載の発明は、請求項１又は２記載の発明の効果に加えてさらに、エキステンションスクリードプレートの裏面側に支持部材が突設されているため、エキステンションスクリード加熱用ダクトがエキステンションスクリード内において上下方向にも位置決めされて、エキステンションスクリードプレートに対する安定した加熱体として機能させることができるという利点がある。
【図面の簡単な説明】
【００２３】
【図１】本発明の実施例に係るアスファルトフィニッシャにおけるスクリード加熱ダクト装置においてエキステンションスクリード加熱用ダクトがエキステンションスクリードの下方側に内設されていることをダクト部分等の一部を断面で示す要部背面図。
【図２】図１の構成において本体スクリードプレートに摩耗が生じても本体スクリード加熱用ダクトとエキステンションスクリード加熱用ダクトの連結部には、ずれが発生しないことをダクト部分等の一部を断面で示す要部背面図。
【図３】本発明の実施例において本体スクリードにエキステンションスクリードが連結されない場合の該本体スクリードの端部部分の構成を示す要部背面図。
【図４】第１の従来技術において前記図１に対応した部分を示す背面図。
【図５】第２の従来技術において前記図１に対応した部分を示す背面図。
【発明を実施するための形態】
【００２４】
本発明は、本体スクリードに搭載された熱風式加熱機で生成された熱風で本体スクリード及びエキステンションスクリードを加熱するとともに本体スクリード加熱用ダクトとエキステンションスクリード加熱用ダクトとの連結部における熱風漏れ及び圧損を抑えてエキステンションスクリードの加熱効率を向上させるという目的を達成するために、
熱風を生成する熱風式加熱機が搭載されるとともに前記熱風を通過させる本体スクリード加熱用ダクトが固定状態で内設された本体スクリードと、該本体スクリードに連結された前記熱風を通過させるエキステンションスクリード加熱用ダクトが内設されたエキステンションスクリードとを備え、前記本体スクリード加熱用ダクト及び前記エキステンションスクリード加熱用ダクトの各端部近傍のうち何れか一方の端部近傍を何れか他方の端部近傍に差し込むことにより前記本体スクリード加熱用ダクトと前記エキステンションスクリード加熱用ダクトとを連結するとともに前記エキステンションスクリードに設けられた弾性材製のインシュレーションを前記エキステンションスクリードの前記本体スクリード加熱用ダクトとの連結部とは反対側の端部に押し付けることにより該エキステンションスクリード加熱用ダクトの抜け止めとして機能させたことを特徴とするアスファルトフィニッシャにおけるスクリード加熱ダクト装置を提供することによって、実現した。
【実施例１】
【００２５】
以下、本発明の好適な実施例を図１乃至図３を参照して説明する。なお、図１乃至図３において、前記図４における部材及び部位と同一ないし均等のものは、前記と同一符合を以って示し、重複した説明を省略する。まず、本実施例に係るアスファルトフィニッシャにおけるスクリード加熱ダクト装置の構成を説明する。
【００２６】
図１において、本実施例では、本体スクリード加熱用ダクト３が、本体スクリード１下方側に支持具４で支持固定されて内設されているのに対し、エキステンションスクリード加熱用ダクト５は、エキステンションスクリード２の下方側に非固定状態（図４又は図５に示す従来技術のようにエキステンションスクリード２に対して支持具６で支持固定されていない状態）で内設されている。そして、本体スクリード加熱用ダクト３の端部近傍３ｂがエキステンションスクリード加熱用ダクト５の一端部近傍５ｂに差し込まれることにより該本体スクリード加熱用ダクト３とエキステンションスクリード加熱用ダクト５とが連結されている。
【００２７】
この連結態様において、該エキステンションスクリード加熱用ダクト５の一端部は本体スクリード１側における本体スクリード加熱用ダクト３の支持具４に当接され、エキステンションスクリード２の他端部には、未舗装面のへりに設置される型枠上をスライドさせる型枠スライダ１１が取り付けられ、該型枠スライダ１１に内蔵された弾性材製のインシュレーション１２がエキステンションスクリード加熱用ダクト５の他端部に押し付けられている。
【００２８】
この弾性材製のインシュレーション１２により該エキステンションスクリード加熱用ダクト５は、その他端部が閉塞されるとともに前記型枠スライダ１１に内蔵された弾性材製のインシュレーション１２が当該エキステンションスクリード加熱用ダクト５の抜け止めとして機能している。
【００２９】
また、エキステンションスクリードプレート９の裏面側（エキステンションスクリード加熱用ダクト５と対向する側）には、エキステンションスクリード加熱用ダクト５を支持する複数個の支持部材１３，…が突設されて、エキステンションスクリード加熱用ダクトは片持ち支持になることなく、エキステンションスクリード２内において上下方向にも位置決めされている。
【００３０】
次に、上述のように構成されたアスファルトフィニッシャにおけるスクリード加熱ダクト装置の作用を説明する。本体スクリード加熱用ダクト３とエキステンションスクリード加熱用ダクト５との連結が、本体スクリード加熱用ダクト３の端部近傍３ｂをエキステンションスクリード加熱用ダクト５の一端部近傍５ｂに差し込むことにより行われている。そして、該エキステンションスクリード加熱用ダクト５の一端部が本体スクリード１側における本体スクリード加熱用ダクト３の支持具４に当接し、他端部には型枠スライダ１１に内蔵された弾性材製のインシュレーション１２が押し付けられて該他端部が閉塞されるとともに抜け止めが行われている。これとともに、エキステンションスクリード加熱用ダクト５の熱膨張による延びは弾性材製のインシュレーション１２により吸収される。
【００３１】
上記のようなエキステンションスクリード加熱用ダクト５の取付け態様により、エキステンションスクリード２内における該エキステンションスクリード加熱用ダクト５の長手方向の位置決めが行われて、エキステンションスクリード２内における該エキステンションスクリード加熱用ダクト５の長手方向の位置調整が不要となる。
【００３２】
また、エキステンションスクリードプレート９の裏面側に複数個の支持部材１３，…が突設されていることで、エキステンションスクリード加熱用ダクト５は片持ち支持になることなく、該エキステンションスクリード加熱用ダクト５はエキステンションスクリード２内において上下方向にも位置決めされ、エキステンションスクリードプレート９に対する安定した加熱体として機能する。
【００３３】
前記のような本体スクリード加熱用ダクト３とエキステンションスクリード加熱用ダクト５との連結態様において、エキステンションスクリード加熱用ダクト５は、エキステンションスクリード２に非固定状態（図４又は図５に示す従来技術のようにエキステンションスクリード２に対して支持具６で支持固定されていない状態）で内設されている。このため、該エキステンションスクリード加熱用ダクト５は、前記連結部を通じて本体スクリード加熱用ダクト３の上下動等の動きに追動する。
【００３４】
したがってアスファルトフィニッシャの稼動に伴って、例えば図２に示すように、本体スクリードプレート８に磨耗が生じて本体スクリード加熱用ダクト３とエキステンションスクリード加熱用ダクト５との連結部に、本体スクリード加熱用ダクト３側が下がる方向にずれ傾向が生じても、このずれ傾向はエキステンションスクリード加熱用ダクト５の追動性に吸収されて該連結部にずれは発生することがない。この結果、該連結部における熱風漏れや圧損の発生が抑えられる。
【００３５】
上記と逆に、エキステンションスクリードプレート９側に磨耗が生じて前記連結部に、本体スクリード加熱用ダクト３側が上がる方向にずれ傾向が生じても、このずれ傾向は、上記と同様にエキステンションスクリード加熱用ダクト５の追動性に吸収されて該連結部にずれは発生することがない。
【００３６】
そして、本体スクリード加熱用ダクト３は、該複数の放熱口３ａ，…から所定温度の熱風を噴出して本体スクリードプレート８を加熱する。また、所定温度の熱風が所望量流れるエキステンションスクリード加熱用ダクト５においても複数の放熱口５ａ，…から熱風を噴出してエキステンションスクリードプレート９を加熱する。
【００３７】
図３は、本体スクリード１にエキステンションスクリード２が連結されない場合の該本体スクリード１の端部部分の構成を示している。この場合は、本体スクリード１の端部に型枠スライダ１１が直接取り付けられる。そして、該型枠スライダ１１に内蔵された弾性材製のインシュレーション１２が本体スクリード加熱用ダクト３の端部に押し付けられて、その端部が密閉される。
【００３８】
上述したように、本実施例に係るアスファルトフィニッシャにおけるスクリード加熱ダクト装置においては、本体スクリード加熱用ダクト３に連結されているエキステンションスクリード加熱用ダクト５は、エキステンションスクリード２に非固定状態（図４又は図５に示す従来技術のようにエキステンションスクリード２に対して支持具６で支持固定されていない状態）で内設されているため前記連結部を通じて本体スクリード加熱用ダクト３の上下動等の動きに追動する。したがって、本体スクリードプレート８又はエキステンションスクリードプレート９に摩耗等が生じて本体スクリード加熱用ダクト３とエキステンションスクリード加熱用ダクト５との連結部に高さ方向にずれ傾向が生じても、このずれ傾向がエキステンションスクリード加熱用ダクト５の追動性に吸収されて該連結部にはずれが発生しない。これにより、該連結部における熱風漏れや圧損の発生が抑えられてエキステンションスクリード２の加熱効率を向上させることができる。
【００３９】
エキステンションスクリード加熱用ダクト５は、その一端部が本体スクリード１側における本体スクリード加熱用ダクト３の支持具４に当接し、他端部は型枠スライダ１１に内蔵された弾性材製のインシュレーション１２が押し付けられて該他端部が閉塞されるとともに抜け止めが行われる。したがって、エキステンションスクリード２に非固定状態（図４又は図５に示す従来技術のようにエキステンションスクリード２に対して支持具６で支持固定されていない状態）で内設されているエキステンションスクリード加熱用ダクト５の長手方向の位置調整が不要となって該エキステンションスクリード加熱用ダクト５に対する容易組立性が得られる。
【００４０】
エキステンションスクリードプレート９の裏面側に支持部材１３が突設されているため、エキステンションスクリード加熱用ダクト５がエキステンションスクリード２内において上下方向にも位置決めされて、エキステンションスクリードプレート９に対する安定した加熱体として機能させることができる。
【００４１】
なお、上記実施例においては、本体スクリード加熱用ダクト３の端部近傍３ｂがエキステンションスクリード加熱用ダクト５の一端部近傍５ｂに差し込まれることにより該本体スクリード加熱用ダクト３とエキステンションスクリード加熱用ダクト５とが連結されている。しかし、本発明は、これと逆に、エキステンションスクリード加熱用ダクト５の一端部近傍５ｂを本体スクリード加熱用ダクト３の端部近傍３ｂに差し込むことによっても該本体スクリード加熱用ダクト３とエキステンションスクリード加熱用ダクト５とを連結することもできる。
【００４２】
そして、この連結態様をとったときは、エキステンションスクリード加熱用ダクト５の周面に適宜形状の係止部材を固着し、この係止部材を本体スクリード加熱用ダクト３の端部に係止させる。これにより、エキステンションスクリード加熱用ダクト５の一端部側が位置決めされる。
【００４３】
また、本発明は、本発明の精神を逸脱しない限り種々の改変をなすことができ、そして、本発明が該改変されたものにも及ぶことは当然である。
【産業上の利用可能性】
【００４４】
本体スクリードに搭載された熱風式加熱機で生成された熱風で本体スクリード及びエキステンションスクリードを加熱するとともに本体スクリード加熱用ダクトとエキステンションスクリード加熱用ダクトとの連結部における熱風漏れ及び圧損を抑えてエキステンションスクリードの加熱効率を向上させることが不可欠な後端部に連結式のスクリードを装備したアスファルトフィニッシャに広く適用することが可能である。
【符号の説明】
【００４５】
１    本体スクリード
２    エキステンションスクリード
３    本体スクリード加熱用ダクト
３ｂ  本体スクリード加熱用ダクトの端部近傍
４    支持具
５    エキステンションスクリード加熱用ダクト
５ｂ  エキステンションスクリード加熱用ダクトの一端部近傍
６    支持具
７    導風用インシュレーション
８    本体スクリードプレート
９    エキステンションスクリードプレート
１０    面合わせ部
１１    型枠スライダ
１２    インシュレーション
１３    支持部材
【図１】
0005637913.tif 000002
【図２】
0005637913.tif 000003
【図３】
0005637913.tif 000004
【図４】
0005637913.tif 000005
【図５】
0005637913.tif 000006